(57)【要約】【課題】ライフログ収集の利便性を向上する。【解決手段】被写体像を撮像し、画像データを出力する撮像部と、音声を取得するマイク部と、複数のグループに分別してキーワードを記録するキーワード記録部と、時刻情報を出力するタイマーと、前記時刻情報に応じて参照するキーワードのグループの順番を決定する順番決定部と、前記マイク部により取得された音声と前記キーワードとを、前記順番決定部により決定されたグループごとに順番に比較する比較部と、前記比較部による比較結果に応じて、前記撮像部により記録用の画像データを取得させる撮像制御部とを有するデジタルカメラである。【選択図】図１
2013162277.tif 000002
【特許請求の範囲】
【請求項１】
被写体像を撮像し、画像データを出力する撮像部と、
音声を取得するマイク部と、
複数のグループに分別してキーワードを記録するキーワード記録部と、
時刻情報を出力するタイマーと、
前記時刻情報に応じて参照するキーワードのグループの順番を決定する順番決定部と、
前記マイク部により取得された音声と前記キーワードとを、前記順番決定部により決定されたグループごとに順番に比較する比較部と、
前記比較部による比較結果に応じて、前記撮像部により記録用の画像データを取得させる撮像制御部と
を有することを特徴とするデジタルカメラ。
【請求項２】
前記比較部による比較結果に応じた第１の分類情報を付加情報として前記記録用の画像データに付加して記録媒体に記録させる記録制御部をさらに有することを特徴とする請求項１に記載のデジタルカメラ。
【請求項３】
被写体像を撮像し、画像データを出力する撮像部と、
音声を取得するマイク部と、
複数のグループに分別してキーワードを記録するキーワード記録部と、
時刻情報を出力するタイマーと、
前記マイク部により取得された音声と前記キーワードとを比較し、前記音声に対応するキーワードを特定する特定部と、
前記特定部により特定されたキーワードおよび前記時刻情報に応じて撮影条件を決定する決定部と、
前記決定部より決定された前記撮影条件で、前記撮像部により記録用の画像データを取得させる撮像制御部と
を有することを特徴とするデジタルカメラ。
【請求項４】
前記特定部により特定されたキーワードに関する第１の分類情報を付加情報として前記記録用の画像データに付加して記録媒体に記録させる記録制御部をさらに有することを特徴とする請求項３に記載のデジタルカメラ。
【請求項５】
請求項１〜４のいずれか一項に記載のデジタルカメラにおいて、
前記記録用の画像データに付加する情報を得るためのセンサー部をさらに有し、
前記記録制御部は、前記センサー部により得られた情報を第２の分類情報として前記記録用の画像データに付加して記録させることを特徴とするデジタルカメラ。
【請求項６】
請求項５に記載のデジタルカメラにおいて、
前記センサー部は、位置および姿勢の少なくとも一方に関連する情報を出力することを特徴とするデジタルカメラ。
【請求項７】
請求項１〜６のいずれか一項に記載のデジタルカメラにおいて、
前記記録用の画像データを転送する通信部をさらに有し、
前記記録制御部は、前記通信部を介して外部装置に前記記録用の画像を送信させることを特徴とするデジタルカメラ。
【発明の詳細な説明】
【技術分野】
【０００１】
本発明は、デジタルカメラに関する。
【背景技術】
【０００２】
人間の日々の活動などをログとして収集するライフログが注目されている。このようなライフログの記録に用いることができる撮像装置として、眼鏡のフレームに撮像素子を配置し、親基地から無線通信により撮像指示を行い得るようにした技術が知られている（特許文献１参照）。撮像指示は、親基地に設けられた操作部を操作し、または親基地に設けられたマイクから音声入力により行い得る旨が記載されている。
【先行技術文献】
【特許文献】
【０００３】
【特許文献１】特開２００４−２２２２５４号公報
【発明の概要】
【発明が解決しようとする課題】
【０００４】
しかしながら、特許文献１に記載された従来技術では、撮像指示は親基地においてその意図を持って所定の操作または音声入力を行う必要があるため、ユーザーは撮像について常に意識している必要があり、失念した場合にはライフログの収集を行うことができず、利便性が低いという問題があった。
【０００５】
本発明はこのような点に鑑みてなされたものであり、ライフログ収集の利便性を向上することを目的とする。
【課題を解決するための手段】
【０００６】
本発明の第１の観点に係るデジタルカメラは、被写体像を撮像し、画像データを出力する撮像部と、音声を取得するマイク部と、複数のグループに分別してキーワードを記録するキーワード記録部と、時刻情報を出力するタイマーと、前記時刻情報に応じて参照するキーワードのグループの順番を決定する順番決定部と、前記マイク部により取得された音声と前記キーワードとを、前記順番決定部により決定されたグループごとに順番に、比較する比較部と、前記比較部による比較結果に応じて、前記撮像部により記録用の画像データを取得させる撮像制御部とを有することを特徴とする。
【０００７】
本発明の第２の観点に係るデジタルカメラは、被写体像を撮像し、画像データを出力する撮像部と、音声を取得するマイク部と、複数のグループに分別してキーワードを記録するキーワード記録部と、時刻情報を出力するタイマーと、前記マイク部により取得された音声と前記キーワードとを比較し、前記音声に対応するキーワードを特定する特定部と、前記特定部により特定されたキーワードおよび前記時刻情報に応じて撮影条件を決定する決定部と、前記決定部より決定された前記撮影条件で、前記撮像部により記録用の画像データを取得させる撮像制御部とを有することを特徴とする。
【発明の効果】
【０００８】
本発明によれば、ユーザーが撮像について意識しなくても、適宜なタイミングで撮像できるようになり、ライフログ収集の利便性を向上することができるという効果がある。
【図面の簡単な説明】
【０００９】
【図１】本発明の実施形態に係るイヤリング型ウエアラブル式のカメラ１の構成を示すブロック図である。
【図２】本発明の実施形態に係るイヤリング型ウエアラブル式のカメラ１をユーザーに（人間の耳に）装着した状態を示す正面図である。
【図３】本発明の実施形態に係るイヤリング型ウエアラブル式のカメラ１をユーザーに（人間の耳に）装着した状態を示す平面図である。
【図４】本発明の実施形態に係るカメラ１のＣＰＵ１００が実行する制御処理を示すフローチャートである。
【図５】本発明の実施形態に係るカメラ１内に記録されるキーワード群データベースの記録形態を示す概念図である。
【図６】本発明の実施形態に係るカメラ１内に記録される撮影条件データベースを示す概念図である。
【図７】本発明の実施形態に係るカメラ１により取得された記録用画像のファイル構造を示す概念図である。
【図８】本発明の実施形態に係るカメラ１により取得された記録用画像と分類情報と取得した音声との対応例を示す概念図である。
【発明を実施するための形態】
【００１０】
図１に示すカメラ１を備えて構成した装飾品であるイヤリングを例にして、以下に本発明の実施形態を詳述する。図２および図３に示されているように、本発明が適用されたカメラ１は、ユーザーの右側耳に装着されるイヤリング１Ｒに組み込まれている。カメラ１は、ユーザーの向く方向と略同一方向の所定角度を撮影可能なように構成される。なお、カメラ１はユーザーの右側耳用のイヤリング１Ｌに組み込んでも良い。
【００１１】
本実施形態の図１に示すカメラ１は、ＣＰＵ（制御部）１００により統括的に制御され、カメラ１の各構成要素はＣＰＵ１００の指令に応じて制御される。また、ＣＰＵ１００は、フラッシュＲＡＭ１０２に記録されたプログラムに基づいて後述のフローチャート（図４）に示す処理等を実行する。フラッシュＲＡＭ１０２は、図５および図６に示す各種データベース（詳細後述）を記録している。また、ＣＰＵ１００がフラッシュＲＡＭ１０２に記録されたプログラムを実行することにより、順番決定部、比較部、撮像制御部、記録制御部、特定部および決定部等としての各種処理を実行する演算部１００Ａの機能、および画像処理部１００Ｂの機能が実現される。なお、画像処理部１００Ｂの機能は、ＣＰＵ１００とは別のＣＰＵによって実現させても良い。
【００１２】
マイク部１０４は、音声を取得し、取得した音声をデジタル化した音声データをＣＰＵ１００に出力する。撮像部１０６は、ＣＭＯＳセンサー等の光電変換素子を含み、撮像部１０６は光情報をアナログの電気情報に変換し、変換された電気情報はデジタル変換され、デジタル変換された画像データは、ＣＰＵ１００に入力される。なお、レンズ１０５は、撮像部１０６の結像面上に被写体像を結像するために設けられる。
【００１３】
ＧＰＳセンサー１０８Ａは、ＧＰＳ衛星からの電波を取得し、取得した電波情報に応じて演算した位置情報（緯度、経度）をＣＰＵ１００に出力する。方位センサー１０８Ｂは、地磁気に関する情報を検出し、検出した地磁気の情報に基づいて、カメラ１の向く方向（方位）情報をＣＰＵ１００に出力する。姿勢センサー１０８Ｃは、カメラ１がユーザーに固定された状態において、ユーザーがどのような姿勢であるかを検出するためのセンサーであり、重力方向からの傾きに応じた情報をＣＰＵ１００に出力する。
【００１４】
一時記憶媒体１１０は、画像処理するための画像データ、マイク部１０４により出力された音声データ、ＧＰＳセンサー１０８Ａからの位置情報、方位センサー１０８Ｂからの方向情報等を一時記憶するための記憶媒体である。また、タイマー１１２は、現在日時を示す日時情報（年月日時分秒）をＣＰＵ１００に出力する。
【００１５】
通信部１１４は、無線送信部と、無線受信部とを備え、外部装置２と通信するためのインターフェイスである。撮像された画像データを含む各種データは、この通信部１１４を介して外部装置２に送信され、また、通信部１１４を介して外部装置２から受信される。なお、外部装置２は通信部１１４と通信するための不図示の通信部（無線送信部および無線受信部）、各種データを記憶するための記憶部（記憶媒体）を備えている。
【００１６】
カード型記録媒体１１８は、カメラ１に着脱可能なカード形状の記録媒体から構成され、ＣＰＵ１００からの指示に応じて各種情報をカード内に記憶させる。また、ＣＰＵ１００は記録媒体１１８に記録された各種情報を読み出すことが可能なように構成される。なお、カメラ１は、カード型記録媒体１１８に代えて、またはこれに加えて、着脱不能なチップ形状の記録媒体を備えてもいても良い。
【００１７】
次に、フラッシュＲＡＭ１０２に記録されているデータベースの構成について、図５および図６を参照して説明する。図５はキーワード群データベースを示しており、図６は撮影条件データベースを示している。図５に示すキーワード群データベースは、本実施形態では、時間に関係するキーワード（日常的なキーワード）が分別して設定される時間帯グループ（グループ１〜４）と、時間に関係ないキーワード（非日常的なキーワード）として分別される共通グループ（グループＳ）とを含んでいる。なお、共通グループは省略しても良い。時間帯グループは、本実施形態では、１日２４時間を４つの時間帯グループ１〜４（６：００〜８：００、９：００〜１８：００、１８：００〜２２：００、２２：００〜２４：００）に分別している。
【００１８】
時間帯グループ１（６：００〜８：００）には、自宅において起床から外出までに日常的に発せられると予想されるキーワードとして、「おはよう」、「いただきます」、「召し上がれ」、「いってきます」が設定されている。また、「おはよう」に対応する分類情報として「起床」が、「いただきます」および「召し上がれ」に対応する分類情報として「朝食」が、「いってきます」に対応する分類情報として「外出」が設定されている。時間帯グループ２（９：００〜１８：００）には、勤務先において出社から退社までに日常的に発せられると予想されるキーワードとして、「おはようございます」、「いただきます」、「お疲れ様でした」、「ご苦労様でした」、「さようなら」が設定されている。また、「おはようございます」に対応する分類情報として「出社」が、「いただきます」に対応する分類情報として「昼食」が、「お疲れ様でした」、「ご苦労様でした」および「さようなら」に対応する分類情報として「退社」が設定されている。
【００１９】
時間帯グループ３（１８：００〜２２：００）には、夕食時に日常的に発せられると予想されるキーワードとして、「乾杯」、「いただきます」、「美味しい」、「ご馳走様でした」、「ありがとうございました」が設定されている。また、「乾杯」、「いただきます」「美味しい」および「ご馳走様でした」に対応する分類情報として「夕食」が設定されている。なお、ここでは、「ありがとうございました」に対応する分類情報は設定されていないものとするが、適宜に設定してもよい。時間帯グループ４（２２：００〜２４：００）には、帰宅から就寝までに日常的に発せられると予想されるキーワードとして、「ただいま」、「おやすみなさい」が設定されている。また、「おやすみなさい」に対応する分類情報として「帰宅」が、「おやすみなさい」に対応する分類情報として「就寝」が設定されている。共通グループＳは時間帯に関係ない非日常的なキーワードが設定されるグループであり、ここでは、キーワードとして、「可愛い」、「きれい」が設定されている。また、「可愛い」および「きれい」に対応する分類情報として「感動」が設定されている。
【００２０】
図６に示す撮影条件データベースは、複数の分類情報のそれぞれに対応して撮影条件が設定されたデータベースである。本実施形態では、分類「起床」、「外出」、「出社」、「退社」、「帰宅」については、撮影条件として、「人物撮影モード（人物の顔認識＋認識した人物の顔にＡＦ＋認識した人物の顔に基づいて画角調整、単写）」が設定されている。分類「朝食」、「昼食」については、「料理モード（マクロ、単写）」が設定されている。分類「夕食」については、「料理モード（マクロ、所定時間（例えば、１分）毎のインターバル撮影）」が設定されている。なお、ここでは、分類「就寝」については撮影条件は設定されていないものとするが、適宜に設定しても良い。分類「感動」については、「オートシーン判定モード」が設定されている。撮影条件としては、これら以外に、「逆光補正モード」、「夜景モード」、「風景モード」などを適宜に設定することができる。上述した各モードを組み合わせて設定できるようにしても良い。「オートシーン判定モード」は撮影前にスルー画像を取得して、上述した各モードのうち最適なモードを自動的に判定し、設定するものである。なお、これらのキーワード群データベース（図５）および撮影条件データベース（図６）は、ユーザーが所定の操作を行うことにより、追加および変更ができるようになっている。
【００２１】
図４にＣＰＵ１００によって実行されるライフログ収集処理のフローチャートを示す。タイマー１１２により所定の時刻になると、本ライフログ収集処理が開始される。この開始時刻は、不図示の所定の操作部材により予めユーザーにより設定されているものとする。開始時刻としては、例えば、６：００とすることができる。なお、本実施形態では、本ライフログ収集処理は所定の開始時刻になったことが検出された時点で開始するものとして説明するが、姿勢センサー１０８Ｃの出力を監視し、ユーザーが所定時間以上横になっている状態から起き上がったことが検出されたときに、開始するようにしても良い。また、ユーザーがライフログ収集を開始するための所定の操作を行うことによって開始するようにしても良い。
【００２２】
ステップＳ１において、ＣＰＵ１００は音声を取得するようマイク部１０４を制御し、マイク部１０４は音声情報をＣＰＵ１００に出力し、ステップ２に移行する。ステップＳ２において、ＣＰＵ１００は、タイマー１０４から日時情報を取得し、ステップＳ３に移行する。ステップＳ３において、ＣＰＵ１００は、日時情報に応じた時間帯グループを選定し、ステップＳ４に移行する。ＣＰＵ１００は、例えば、現在時刻が７：００であるならば、図５に示すキーワード群データベースにおける時間帯グループ１を選定する。
【００２３】
ステップＳ４において、ＣＰＵ１００は、選定した時間帯グループ（ここでは、グループ１）内のいずれかのキーワードに、ステップＳ１で取得した音声情報が一致するか否かを解析（取得した音声情報とキーワードとを比較）する。この解析は、周波数特性の比較による。一致した場合（Ｙの場合）には、ステップＳ５に移行し、一致しない場合（Ｎの場合）にはステップＳ６に移行する。ＣＰＵ１００は、例えば、ステップＳ１で取得した音声情報が「いただきます」である場合には、図５に示すキーワード群データベースのグループ１に対応して設定されているキーワード群に「いただきます」が存在するため、Ｓ５に移行する。
【００２４】
ステップＳ５において、ＣＰＵ１００は、一致したキーワード情報が属する分類情報を特定し、ステップＳ８に移行する。例えば、図５に示すキーワード群データベースを参照し、「いただきます」に対応する分類情報として「朝食」を特定し、ステップＳ８に移行する。ステップＳ６において、ＣＰＵ１００は、全ての時間帯グループを参照したか否かを判断する。全ての時間帯グループを参照していない場合（Ｎの場合）には、ステップＳ７に移行し、全ての時間帯グループを参照した場合（Ｙの場合）には、ステップＳ１３に移行する。ステップＳ７において、ＣＰＵ１００は、次の時間帯グループを選定し、ステップＳ４の処理を再度実行する。ステップＳ４，Ｓ６，Ｓ７により、例えば、現在時刻が７：００である場合にはグループ１，２，３，４の順に、現在時刻が１０：００である場合にはグループ２，３，４，１の順に、現在時刻が２０：００である場合には、グループ３，４，１，２の順に、現在時刻が２３：００である場合にはグループ４，１，２，３の順にキーワードの検索が行われる。
【００２５】
ステップＳ８において、ＣＰＵ１００は、図６に示した撮影条件データベースを参照し、ステップＳ５で選定した分類情報に応じた撮影条件を特定し、特定された撮影条件を記録用の画像の撮像条件として設定し、ステップＳ９に移行する。ステップＳ９において、ＣＰＵ１００は、ＧＰＳセンサー１０８Ａから出力された位置情報を取得し、ステップＳ１０に移行する。ステップＳ１０において、ＣＰＵ１００は、設定された撮影条件に基づいて、記録用画像の撮像を実行させる。
【００２６】
ここで、本実施形態の撮影条件の設定について、以下の（Ａ）と（Ｂ）の欄に説明を記載する。
（Ａ）特定されたキーワードが「起床」「外出」「出社」「退社」「帰宅」の分類に属する場合
例えば、「おはよう」という音声に基づいて、「起床」の分類を特定した場合には、人物の顔認識のアプリケーション（パターンマッチングにより人物の顔に相当するパターンを認識するアプリケーション）を起動し、ＣＰＵ１００は被写界内に人物の顔が含まれるか否かを判定する。被写界内に、人物の顔が含まれていた場合には、ＣＰＵ１００は人物の顔の位置を判定し、判定した人物の顔の位置にフォーカスを合わせるように不図示のフォーカスレンズを制御する。また、ＣＰＵ１００は、撮影画面に占める判定した人物の顔の大きさが所定の大きさとなるように、不図示のズームレンズを制御する。そして、上述の制御の後に、記録用画像の撮像を実行する。なお、ＣＰＵ１００は、撮像後の画像信号に対して、人物の画像に特有の画像処理（例えば、人物を撮影する場合に適したホワイトバランス調整）を施しても良い。
【００２７】
（Ｂ）特定されたキーワードが「朝食」「昼食」「夕食」の分類に属する場合
例えば、「いただきます」という音声と時刻に基づいて「朝食」を判定した場合には、マクロモードに撮影モードを変更する。この場合、ＣＰＵ１００は、不図示のフォーカスレンズを制御し、マクロ域（被写体が近距離の域）の被写体に合焦させるようフォーカスレンズを制御する。また、特定された分類に応じて、単写撮影（１枚の記録用画像を取得させる撮影）と連写撮影（複数枚の記録用画像を取得される撮影）を切り替えても良い。そして、上述の制御の後に、記録用画像の撮像を実行する。なお、ＣＰＵ１００は、撮像後の画像信号に対して、料理の画像に特有の画像処理（例えば、料理を撮影する場合に適したホワイトバランス調整）を施しても良い。
【００２８】
ステップＳ１１において、ＣＰＵ１００は、ステップＳ１０で実行させた記録用画像の撮像により得られた画像データと、Ｓ５で特定した分類情報と、Ｓ９で取得した位置情報とを関連付けて、付加情報（メタデータ）としてカード型記録媒体１１８に記録させ、ステップＳ１２に進む。図７は、主画像データ（撮像した画像に係るデータ）に対して、位置情報と分類情報とを関連付けて記録した記録用画像のファイル構造を示した概念図である。これらの情報に加えて、さらに、方向情報、姿勢情報、キーワードを関連付けて記憶させても良い。
【００２９】
ステップＳ６において、ＣＰＵ１００は、全ての時間帯グループを参照したか否かを判定し、全ての時間帯グループを参照したと判断した場合（Ｙの場合）には、ステップＳ１３に移行する。ステップＳ１３において、ＣＰＵ１００は、共通グループを選定し、Ｓ１４に移行する。ステップＳ１４において、ＣＰＵ１００は、選定した共通グループのいずれかのキーワードに、ステップＳ１で取得した音声情報が一致するか否かを解析（取得した音声情報とキーワードとを比較）する。この解析は、周波数特性の比較による。一致した場合（Ｙの場合）には、ステップＳ１５に移行し、一致しない場合（Ｎの場合）にはステップＳ１２に移行する。
【００３０】
ステップＳ１５において、ＣＰＵ１００は、シーン判定を行い、ステップＳ１６に移行する。シーン判定は、撮像しようとしている被写体に最適な撮影モードを選定するため、スルー画像を解析することにより行われる処理であり、ここでは、「人物撮影モード」、「料理モード」、「逆光補正モード」、「夜景モード」、「風景モード」などの撮影モードのうちのいずれかが選定される。なお、これらを組み合わせて設定しても良い。ステップＳ１６において、ＣＰＵ１００は、ステップＳ１５で選定した撮影モードに応じた撮影条件を特定し、特定された撮影条件を記録用の画像の撮像条件として設定し、ステップＳ９に移行する。
【００３１】
なお、図５に示すキーワード群データベースにおいて、共通グループは、キーワードとなる言葉が時刻（日常的な行動）に関係せずに発せられることを想定して設けたグループである。例えば、「可愛い」「きれい」等のキーワードは、時間帯に依存せずに発言される可能性が高い。さらに、「可愛い」「きれい」等のキーワードを発したユーザーは、視認したものに対して感動を抱いている可能性が高い。したがってＳ１１では、「可愛い」「きれい」等のキーワードに応じた撮影により得られた記録用画像に対して「非日常（感動）」の分類情報を関連付けて記録させる。一方で、時間帯グループに分別されている日常的に発せられるキーワードに応じた撮影により得られた記録用画像に対しては、「日常（起床）」「日常（朝食）」「日常（外出）」「日常（出社）」「日常（昼食）」「日常（退社）」「日常（夕飯）」等のいずれかの分類情報を記録用画像に対して関連付けて記録する。このような、関連付けにより、ＣＰＵ１００は、複数の記録用画像の中から「非日常」を示す画像または「日常」を示す画像を抽出することが容易となる。
【００３２】
なお、本実施形態では、共通グループを設けて、非日常的なキーワードについても対応できるようにしているが、ステップＳ１３〜Ｓ１６を削除して、ステップＳ６で全ての時間帯グループを参照したと判断された場合（Ｙの場合）に、ステップＳ１２に移行するようにしてもよい。また、ステップＳ１５およびＳ１６において、「遠景モード」等の「被写界深度」を深くするような所定のシーンに対応する撮影条件を設定しても良い。
【００３３】
ステップＳ１２において、ＣＰＵ１００は、ユーザーによりライフログモードの終了釦が操作されたか否かを判定する。終了釦が操作された場合（Ｙの場合）には、本ライフログ収集処理を終了する。終了釦が操作されていない場合（Ｎの場合）には、ステップ１に移行する。
【００３４】
以上で説明したライフログ収集処理により、例えば、図８のようなタイミングで静止画像を取得することが可能となるとともに、ユーザーの一日の生活において撮影された記録用の画像情報を分類情報に基づいて分類することができる。なお、図８では、「おはよう」、「いただきます」、「いってきます」、「おはようございます」、「いただきます」、「お疲れ様です」、「乾杯！」という一日の生活において発せられる音声（言葉）をトリガーとして、撮像が行われ、それぞれ「起床」、「朝食」、「外出」、「出社」、「昼食」、「退社」、「夕食」という分類情報がメタデータとして付加されて、画像記録がなされたことを示している。このようなライフログを例えば毎日収集し、例えば「朝食」という分類情報で検索することにより、日々の朝食の画像を見て楽しんだり、カロリー計算の基礎情報を得るため等に利用することができる。
【００３５】
上述した実施形態によると、ユーザーが撮像のタイミングを意識しなくても、適宜なタイミングで撮像することができ、ライフログ収集の利便性を大幅に向上することができる。なお、ユーザーがキーワードを意図的に発することにより、意図的に撮像することも可能である。また、キーワード群データベースに登録するキーワードを増減させることで、撮像のタイミングをユーザーがコントロールすることも可能である。さらに、上述した実施形態によると、参照するキーワード群を複数の時間帯グループに分別して、キーワード群データベースに設定したので、現在時刻が含まれる時間帯グループに属するキーワードを検索することができ、キーワード照合の処理を高速化することができる。
【００３６】
加えて、上述した実施形態によると、シーンに応じて最適な撮影条件を自動的に設定して撮像することができ、ユーザーの手を煩わせることなく、適切な画像をライフログとして記録することができる。また、上述した実施形態によると、ライフログとして記録する画像データにメタデータとして、位置情報および分類情報を付加しているので、地図に対応して画像をサムネイル表示したり、分類情報で分類して画像を表示することもでき、ライフログの検索を高効率的に行うことができる。
【００３７】
次に、本実施形態の変形例について説明する。
（１）ステップＳ１１の処理に代えて、ＣＰＵ１００は、記録用画像の撮像により得られた画像データと分類情報と位置情報とを関連付けて、通信部１１４を介して外部装置２に転送するようにしても良い。画像処理は取得時にカメラ１において行っても良いし、画像データの転送後に外部装置２で行うようにしても良い。
【００３８】
（２）本フローの開始の条件は、ユーザーの姿勢状態に基づく条件でも良い。例えば、ユーザーの所定の身体の部位に姿勢センサーと無線送信部を有する姿勢検出装置を備え付け、姿勢検出装置から送信された姿勢情報を通信部１１４の無線受信部が受信し、ＣＰＵ１００は受信した姿勢情報に応じてユーザーが寝ている状態か起き上がっている状態かを判定する。例えば、起き上がっている状態と判定された場合には、本フローを開始する。さらに、ＣＰＵ１００により寝ている状態が一定時間以上検出された場合には、本フローを強制的に終了させてもよい。
【００３９】
（３）本フローの開始の条件は、所定の時刻範囲（例えば１時間）として設け、その所定の時刻範囲において、予め登録された目覚まし時計の音や、ユーザーがしゃべる合言葉等がマイクから取得された場合に本フローを開始させてもよい。この場合、一日ごとに本フローを開始させたいタイミングが異なっても、所定の時刻範囲において、例えば、起床のタイミングに合わせて開始させたり、ユーザーの所望のタイミングで開始させたりすることができる。
（４）また、上記の（１）ではＣＰＵ１００はユーザーの姿勢を判定したが、ＣＰＵ１００は加速度センサーの出力等によりユーザーの姿勢の変化を判定し、閾値以上の変化が検出された場合に本フローを開始してもよい。
【００４０】
（５）また、上述した実施形態では、ライフログとして静止画像を記録させるものとして説明したが、動画像を記録する場合でも良い。この場合、撮影条件として、各時間帯グループごとに、撮影期間を設定しておくと良い。
【００４１】
（６）上述のカメラ１をピアス、ペンダント、ブローチなどの他の装飾品、眼鏡（視力矯正用眼鏡、サングラスなど）、その他の身体に装着される物品などに設けても良い。また、コンパクトカメラや一眼レフカメラ、撮像機能付き携帯電話やＰＤＡなど、例えば首に掛けて用いることができる装置に設けても良い。
（７）上述のカメラ１を２つ１組に構成し、両耳にそれぞれ装着し、所定の視差を有するほぼ同時に撮像された記録用画像を２つ１組として取得しても良い。すなわち、図２および図３において、左右両側耳用のイヤリング１Ｒ，１Ｌのそれぞれにカメラ１を組み込んでも良い。これにより、立体画像を得ることができる。
【００４２】
（８）上述のカメラ１は休日と平日とにそれぞれ適した分類情報を付加するように、および、それぞれに適した撮影条件を設定するように構成してもよい。フラッシュＲＡＭ１０２には、平日用の時間帯グループと休日用の時間帯グループとに分別してそれぞれの時間帯に適したキーワード群および分類が設定されたキーワード郡データベースが記録し、さらに、カレンダーデータベース（年月日とその年月日が休日または平日であるのかを示す情報とを対応付けて記録したデータベース）が記録するものとする。さらに、休日特有の分類が存在する場合には、フラッシュＲＡＭにはその分類に対応する撮影条件が記録しておくものとする。
【００４３】
図４に示したライフログ収集処理のフローチャートに追加する処理について説明する。ステップＳ５よりも前段階に、ＣＰＵ１００が、カメラ１のタイマー１１２から取得した日時情報から現在の日付である年月日を特定し、カレンダーデータベースを参照し、現在の日付（年月日）が平日か休日かを判定するというステップを追加する。この前段階の判定結果を利用することにより、ステップＳ５において、ＣＰＵ１００は平日用の時間帯グループ、または、休日用の時間帯グループを参照してキーワードを検索することが可能になる。
【００４４】
例えば、休日用の時間帯グループとして、時間帯に「５：００〜６：００」を設定し、キーワード群に「わんわん（犬の鳴き声）」（ここでは犬の鳴き声を示す音声等もキーワードとして扱う）を設定し、分類に「犬の散歩」を設定する。このように、休日用の時間帯グループとして、平日の時間帯グループとは異なる時間帯の時間帯グループを設定しても良い。さらに、撮影条件データベースには、分類の「犬の散歩」に対応する撮影条件としてペット撮影に適したモードを設定する。例えば、撮影条件として「ペット撮影モード（ペットの顔認識＋認識したペットの顔にＡＦ＋認識したペットの顔に基づいて画角調整、単写）」を設定する。他のステップの処理については上述した実施形態と同様に実行されるものとする。
【００４５】
また、休日用のグループ７として時間帯に「９：００〜１８：００」を設定した場合に、この時間帯に対応する分類には、グループ２に示すような「出社」および「退社」等の出勤に関連するキーワードは含まれないことが好ましい。例えば、休日用のグループ７のキーワード群の「おはようございます」に対応した分類として「休日に会った人」、「お疲れ様でした」および「ご苦労様でした」および「さようなら」に対応した分類として「休日に会っていた人」を設定する。なお、分類の「休日に会った人」および「休日に会っていた人」に対応する撮影モードとして、上述の人物撮影モードが設定されるものとする。このようにして、現在の年月日が休日か平日かに応じて、好適な分類情報を付加することができるとともに、例えば休日の場合には平日のキーワード群は参照しない（もしくは平日の木ワードを参照する順番を後にする）ことにより、キーワードの照合の処理を効率良く実行できる。
【００４６】
（９）上記の（８）には、ＣＰＵ１００が現在の日付である年月日から休日か平日かを特定するという処理を示したが、この代わりにＣＰＵ１００が現在の日付である年月日から季節を特定し季節に適した分類情報を付加するように、および、季節に適した撮影条件を設定するように構成しても良い。
【００４７】
（１０）キーワード群データベース、撮影条件データベース、および、カレンダーデータベースはカメラ１の出荷時点で予めフラッシュＲＡＭ１０２に記録されていることが好ましいが、カメラ１の使用者がキーワード群データベース、撮影条件データベース、および、カレンダーデータベースを任意に設定または変更し、設定または変更したこれらのデータベースをフラッシュＲＡＭ１０２に記録して利用可能なように構成しても良い。
【００４８】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【符号の説明】
【００４９】
１…カメラ、２…外部装置、１００…ＣＰＵ、１０２…フラッシュＲＡＭ、１０４…マイク部、１０５…レンズ、１０６…撮像部、１０８Ａ…ＧＰＳセンサー、１０８Ｂ…方位センサー、１０８Ｃ…姿勢センサー、１１０…一次記憶媒体、１１２…タイマー、１１４…通信部、１１８…カード型記録媒体。
【図１】
2013162277.tif 000003
【図２】
2013162277.tif 000004
【図３】
2013162277.tif 000005
【図４】
2013162277.tif 000006
【図５】
2013162277.tif 000007
【図６】
2013162277.tif 000008
【図７】
2013162277.tif 000009
【図８】
2013162277.tif 000010